(57)【要約】【課題】ユーザーがメニューをカスタマイズする場合の操作を少なくして、容易にメニューをカスタマイズすることが可能な画像表示装置を提供する。【解決手段】簡単メニュー２０には、ユーザーがメニューを変更してカスタマイズできる「ユーザーメニュー２１」と、ユーザーメニュー２１に設定可能なメニュー項目を選択するための「ユーザーメニュー選択２２」と、簡単メニューから詳細メニューにメニューを切り替えるための「詳細メニュー切替２３」のメニュー項目を有している。「ユーザーメニュー選択２２」は簡単メニュー２０内で表示され、別階層のメニューではない。従ってユーザーは簡単メニュー２０内で操作を行うことができる。【選択図】図４
2010140223.tif 000002
【特許請求の範囲】
【請求項１】
表示画面に表示されたメニューから、所定のメニュー項目を選んで調整や機能の設定を行う画像表示装置であって、
外部から入力される映像信号を受けて前記表示画面に表示可能な信号に処理する映像信号処理部と、
前記メニューに表示されるメニュー項目の設定内容を保存するメモリ部と、
前記メモリ部から前記設定内容を読み出して、前記映像信号処理部を制御して前記メニューとして前記表示画面に表示させる制御部とを備え、
前記メニューは非階層型の第１のメニューと、階層型の第２のメニューとを有し、
前記第１のメニューは、
予め決められた規定のメニュー項目と、前記第１のメニュー内でカスタマイズ可能な選択メニュー項目とを含み、
前記制御部は、前記メニューの表示に際しては、最初に前記第１のメニューを表示するように前記メモリ部から前記設定内容を読み出して、前記映像信号処理部を制御する、画像表示装置。
【請求項２】
前記第１のメニューは、メニュー項目として、前記第１のメニューから前記第２のメニューへ表示を切り替えるためのメニュー切替項目をさらに含む、請求項１記載の画像表示装置。
【請求項３】
前記メモリ部は、前記第１および第２のメニューの設定内容を保存し、
前記制御部は、前記第１および第２のメニューで同じメニュー項目については、設定内容が同じとなるように読み出しを行う、請求項１記載の画像表示装置。
【請求項４】
前記規定のメニュー項目は、使用頻度の高いメニュー項目で構成される、請求項１記載の画像表示装置。
【発明の詳細な説明】
【技術分野】
【０００１】
本発明は画像表示装置に関し、特に、調整項目や設定項目を階層的に表示するメニューを備えた画像表示装置に関する。
【背景技術】
【０００２】
一般的な画像表示装置は、表示画面上に調整項目や設定項目が一覧で示されたメニューを表示して、ユーザーがそのメニューを操作することにより、調整や機能の設定を行っている。近年、画像表示装置の性能や機能が向上するのに伴って調整項目や設定項目が増え、メニューを階層型にしてそれぞれの階層ごとにメニューを表示して、ユーザーが希望する項目を選択して、調整、設定する構成が採られつつある。
【０００３】
しかし、階層の数が増えると、ユーザーが希望する設定項目にたどり着くまでには、まず階層を選択してから、その中で希望する項目を探し出して操作する必要があり、必然的にユーザーの操作が増える傾向にあった。また、良く使う機能であっても、階層メニューを選択する必要があり、一定数の操作が必要であった。また複数の操作を行う場合には、ある階層メニューから別の階層メニューへ移動するための操作が必要となる場合もあり、操作数がさらに増えることがあった。
【０００４】
この改善策として、カスタマイズメニューを備えることで操作数を少なくしたテレビジョンシステムについての技術が、例えば、特許文献１の図５に示されている。
【０００５】
【特許文献１】特開平９−３０５３６０号公報（図５）
【発明の開示】
【発明が解決しようとする課題】
【０００６】
上述した特許文献１記載のテレビジョンシステムでは、メニューをカスタマイズするためのメニューが階層メニュー上に設けられているので、ユーザーがカスタマイズするための設定を変更するためには、階層メニューに移動せねばならず、結果としてカスタマイズを頻繁に行う場合には、階層メニューで変更する操作が複雑になるという問題があった。
【０００７】
本発明は、上記のような問題点を解決するためになされたものであり、ユーザーがメニューをカスタマイズする場合の操作を少なくして、容易にメニューをカスタマイズすることが可能な画像表示装置を提供することを目的とする。
【課題を解決するための手段】
【０００８】
本発明に係る請求項１記載の画像表示装置は、表示画面に表示されたメニューから、所定のメニュー項目を選んで調整や機能の設定を行う画像表示装置であって、外部から入力される映像信号を受けて前記表示画面に表示可能な信号に処理する映像信号処理部と、前記メニューに表示されるメニュー項目の設定内容を保存するメモリ部と、前記メモリ部から前記設定内容を読み出して、前記映像信号処理部を制御して前記メニューとして前記表示画面に表示させる制御部とを備え、前記メニューは非階層型の第１のメニューと、階層型の第２のメニューとを有し、前記第１のメニューは、予め決められた規定のメニュー項目と、前記第１のメニュー内でカスタマイズ可能な選択メニュー項目とを含み、前記制御部は、前記メニューの表示に際しては、最初に前記第１のメニューを表示するように前記メモリ部から前記設定内容を読み出して、前記映像信号処理部を制御する。
【発明の効果】
【０００９】
本発明に係る請求項１記載の画像表示装置によれば、非階層型の第１のメニュー内にカスタマイズ可能な選択メニュー項目を設け、メニューの表示に際しては、最初に第１のメニューを表示するように制御するので、メニューをカスタマイズする際にも、ユーザーは複雑な階層型メニューでの操作を必要とせず、必要なメニュー項目を少ない操作数でカスタマイズすることが可能となった。
【発明を実施するための最良の形態】
【００１０】
＜実施の形態＞
＜装置構成＞
図１は本発明に係る実施の形態の画像表示装置１００の構成を示すブロック図である。図１に示すように、画像表示装置１００は、外部から入力される映像信号ＡＶを受けて表示可能な信号に処理する映像信号処理部２と、映像やメニューを表示する映像表示部３と、画像表示装置１００の操作をするための操作部６と、操作部６からの制御信号ＣＳに基づいて映像信号処理部２の制御を行うシステム制御部４と、システム制御部４との間で信号の授受を行い、システム制御部４のプログラムや、メニュー表示内容などを記憶するメモリ部５とを備えている。
【００１１】
＜動作＞
まず、画像表示装置１００の概略動作を示す。
ユーザーにより操作部６を介して、メニュー表示操作やメニュー操作がなされると、その制御信号ＣＳがシステム制御部４上で処理される。例えば、メニュー表示の場合、システム制御部４から映像信号処理部２に処理されたメニュー信号が送信され、映像信号処理部２で、映像信号ＡＶとメニュー信号とを重複させて映像表示部３で表示する。
【００１２】
次に、メニュー表示について、図２を用いてさらに説明する。
メニューの表示状態については、図２に示されるようにメニュー表示なし１０と、簡単メニュー表示１１と、詳細メニュー表示１２との３つの状態がある。通常、初期状態はデフォルトでメニュー表示なし１０に設定されており、ユーザーがメニュー表示を必要とする際には、まず、所定の操作により簡単メニューを映像表示部３の表示画面上に表示する。なお、所定の操作とは、ユーザーがリモートコントローラやキーボード等の入力装置のボタンやキーを操作することで操作部６が反応してシステム制御部４を操作する動作であり、以下、当該動作を所定の操作と呼称する。なお、操作部６に操作キーを有し、当該操作キーから指示を与える構成としても良い。
【００１３】
ユーザーがメニュー表示を指示すると、操作部６を介してシステム制御部４が動作し、メモリ部５から、まず最初に簡単メニューを構成するメニュー項目のデータを読み出して、映像信号処理部２を制御して表示画面上に簡単メニューを表示する。
【００１４】
簡単メニュー内で操作が終了し、メニュー表示を消す場合は所定の操作により、メニュー表示なし１０の状態にすることができる。また、簡単メニュー内での所定の操作により簡単メニュー表示１１から詳細メニュー表示１２へと切り替えることができ、詳細メニュー表示１２からも同様に所定の操作によって、メニュー表示を消してメニュー表示なし１０の状態にすることができる。このように、メニューを表示させる場合は、まず簡単メニュー表示１１になるように構成されているので、メニューを操作する際は、ユーザーは、まず簡単メニューで操作することになる。
【００１５】
なお、図２を用いた説明では、簡単メニュー内の所定の操作により簡単メニュー表示１１から詳細メニュー表示１２へと切り替える例を説明したが、図３に示すように詳細メニュー表示１２から簡単メニュー表示１１へと切り替え可能に構成しても良い。なお、この場合においてもメニューを表示させる場合には、まず簡単メニュー表示１１から始まることは、図２の場合と同様である。
【００１６】
以下、各メニューの構成例について図４および図５を用いて説明する。
＜簡単メニューの構成＞
まず、簡単メニューの構成の一例を図４を用いて説明する。図４に示す簡単メニュー２０（第１のメニュー）はサブメニューを持たない非階層型のメニューである。簡単メニュー２０のメニュー項目としては、映像信号の明るさを変更する「明るさ」、映像信号のメリハリを変更する「コントラスト」、映像信号の先鋭度を変更する「シャープネス」、映像信号の縦横比率を変更する「アスペクト」を有している。これらの項目はユーザーが頻繁に変更する画質の調整項目であり、予め設定された規定のメニュー項目である。
【００１７】
使用頻度の高いメニュー項目を規定のメニュー項目とすることで、簡単メニューだけで設定、調整が完結する可能性が高くなり、使い勝手が向上する。
【００１８】
簡単メニュー２０には、さらに、ユーザーがメニューを変更してカスタマイズできる「ユーザーメニュー２１」と、ユーザーメニュー２１に設定可能なメニュー項目を選択するための「ユーザーメニュー選択２２（選択メニュー項目）」と、簡単メニューから詳細メニュー（第２のメニュー）にメニューを切り替えるための「詳細メニュー切替２３（メニュー切替項目）」のメニュー項目を有している。
【００１９】
図２を用いて説明したように、メニューを表示する際には、まず簡単メニュー２０が表示されるので、既に設定されたメニュー項目と、ユーザーがカスタマイズできる「ユーザーメニュー２１」とで、ユーザーは大半の操作を行うことができる。
【００２０】
ここで、ユーザーメニュー２１の選択方法を説明する。簡単メニュー２０内の「ユーザーメニュー選択２２」を指定するとユーザーメニュー選択２２が簡単メニュー２０内に表示される。ユーザーは、同メニュー内の所望のメニュー項目を選択して決定すると、直ちに「ユーザーメニュー２１」として設定されていた項目が変更され、変更後のメニュー項目を確認できるとともに、変更後のメニュー項目での新たな設定、調整が可能になる。
【００２１】
なお、「ユーザーメニュー選択２２」は簡単メニュー２０内で表示され、別階層のメニューではない。従ってユーザーは簡単メニュー２０内で操作を行うことができる。
【００２２】
このように簡単メニュー２０内でユーザーメニュー２１をカスタマイズできるようにしたので、ユーザーは階層型のメニューに移動することなくユーザーメニュー２１をカスタマイズでき、操作数を増やすことなく、簡単に項目設定を行うことができる。なお、上記においてはユーザーメニューを１つ選択するものとして説明したが、これに限ったものではなく、複数のユーザーメニューを設定できる構成としても良い。
【００２３】
＜詳細メニューの構成＞
次に、詳細メニューの構成の一例を図５を用いて説明する。図５に示す詳細メニュー３０は階層型のメニューであり、複数のサブメニューで構成されている。
【００２４】
サブメニューとしては、画質メニュー３１、信号設定メニュー３２およびオプションメニュー３３を有している。画質メニュー３１は、映像の画質を調整するメニュー項目、「明るさ」、「コントラスト」、「シャープネス」、「色温度」、「色の濃さ」で構成されている。  信号設定メニュー３２は「アスペクト」、「水平位置」、「垂直位置」、「同期調整」、「分周比」などの信号に関する調整を行うメニュー項目で構成されている。
【００２５】
また、オプションメニュー３３は、「メニュー位置」、「オーディオ入力」、「背景色」、「反転表示」、「言語」など映像信号の調整以外のメニュー項目で構成されている。
【００２６】
詳細メニュー３０については、階層型のメニューのため、サブメニューを選択してから、各項目を設定する必要があり、簡単メニュー２０に比べて操作が複雑となるが、頻繁に行う必要がないようなメニュー項目については、詳細メニュー３０で設定、調整するように構成している。
【００２７】
なお、各サブメニューの項目は一例であり、これに限ったものではない。またサブメニューの数についてもメニューの構成によって変わるため、これに限ったものではない。ただし、各メニューの項目数を増やすとユーザーが選択するための操作数が増え、また表示画面上に表示されるメニュー項目が小さくなって見えにくくなるため、１つのサブメニューに表示するメニューの数は１０項目以下が好ましい。簡単メニュー２０についても同様に１０項目以下の表示とし、残りの項目はユーザーメニュー２１を変更することで、少ない操作数で、必要な操作が可能となる表示を両立させている。
【００２８】
＜メニュー操作＞
次に、メニュー操作の一例について、図１を参照しつつ図６に示すフローチャートを用いて説明する。
ユーザーが所定の操作によりメニュー表示を選択（ステップＳ１）すると、まず簡単メニューが映像表示部３の表示画面上に表示される（ステップＳ２）。
【００２９】
そして、操作部６がユーザーのキー操作を受け付けると（ステップＳ３）、操作の内容を判別し、操作の内容が詳細メニューへの切り替えであるかどうかを判断する（ステップＳ４）。詳細メニューへの切り替え操作であれば、簡単メニューから詳細メニューへと表示を切り替える（ステップＳ５）。そうでなければ、次にユーザーメニュー選択であるかどうかを判断し（ステップＳ６）、ユーザーメニュー選択であれば、選択可能なメニュー項目の一覧を簡単メニュー内に表示し、当該一覧からユーザーが所望のメニュー項目を選択して、ユーザーメニューを変更し、当該項目に従った処理（色の濃さ調整等）を行い（ステップＳ７）、次のキー操作を待つ。
【００３０】
一方、ステップＳ６でユーザーメニュー選択でなかった場合は、メニュー表示ＯＦＦかどうかを判断し（ステップＳ８）、メニューＯＦＦの操作であれば、表示画面上からメニュー表示を消す（ステップＳ１０）。なお、メニューＯＦＦの操作でない場合は、ステップＳ９で簡単メニューで選択された項目に従った処理（明るさ調整等）を行い、次のキー操作を待つ。
【００３１】
＜効果＞
以上説明したように、メニュー表示を選択すると、先に簡単メニューが表示されるように構成し、詳細メニュー切替のメニュー項目により必要に応じて詳細メニューに切り替える構成としたので、必要なメニュー項目を少ない操作数でカスタマイズすることが可能となった。
【００３２】
また、簡単メニュー内のユーザーメニューにより必要なメニュー項目をカスタマイズできるように構成したので、メニューをカスタマイズする際にも、ユーザーは複雑な階層型メニューでの操作を必要とせず、必要なメニュー項目を少ない操作数でカスタマイズできる。
【００３３】
また、簡単メニューの項目は少なく設定されているので、その中から希望のメニュー項目を見つけ出すことは容易であり、簡単に必要な操作を行うことができる。
【００３４】
また、簡単メニューのメニュー項目と詳細メニューのメニュー項目では、同じメニュー項目を同一のメモリ部５内に保存するように構成したので、簡単メニューの設定内容（設定値）が詳細メニューの設定内容に反映され、また逆に詳細メニューで設定された内容が簡単メニューにも反映される。こうすることでメモリの追加が不要になるとともに、２つのメニュー間でメニュー項目を共用することで、それぞれのメニューで同じ項目の設定値が別の設定値になることを防止できる。
【００３５】
＜変形例＞
以上の説明においては、画像表示装置１００はテレビジョンシステムやパーソナルコンピュータなどのディスプレイに適用するものとして説明したが、本発明はスクリーンに映像を投写するプロジェクター型の画像表示装置への適用も考えられる。この場合は、図１に示した映像表示部３は、プロジェクターの投写部などに相当し、表示画面はスクリーンに相当することになる。
【図面の簡単な説明】
【００３６】
【図１】本発明に係る実施の形態の画像表示装置の構成を示すブロック図である。
【図２】メニュー表示の切り替え動作を示す図である。
【図３】メニュー表示の切り替え動作を示す図である。
【図４】簡単メニューの構成を示す図である。
【図５】詳細メニューの構成を示す図である。
【図６】メニュー操作を説明するフローチャートである。
【図１】
2010140223.tif 000003
【図２】
2010140223.tif 000004
【図３】
2010140223.tif 000005
【図４】
2010140223.tif 000006
【図５】
2010140223.tif 000007
【図６】
2010140223.tif 000008